Podtech/llm-jp-corpus-v4-ja_patent huggingface dataset:
【事件の表示】
　特許第６３３６５５２号発明「テアニンを含有する容器詰め飲料」の特許異議申立事件について、次のとおり決定する。
【結　論】
　特許第６３３６５５２号の特許請求の範囲を訂正請求書に添付された訂正特許請求の範囲のとおり訂正することを認める。
　本件特許異議の申立てを却下する。
【理　由】
第１　手続の経緯
　特許第６３３６５５２号に係る特許（以下、「本件特許」という。）についての出願は、平成２４年１０月１日に出願した特願２０１２−２１９８３４号の一部を平成２８年１１月２５日に新たな特許出願としたものであって、平成３０年５月１１日にその特許権が設定登録され、同年６月６日に特許掲載公報が発行され、その後、その特許に対し、同年１２月６日に特許異議申立人天笠勝により特許異議の申立てがされ、平成３１年３月２７日付けで取消理由通知が通知され、その指定期間内である令和元年５月２８日に意見書が提出されるとともに、訂正の請求（以下、「本件訂正請求」という。）がなされたものである。
第２　訂正の可否についての判断
１．訂正の内容
　本件訂正請求に係る訂正の内容は、以下のとおりである。
　訂正事項
　特許請求の範囲の請求項１を削除する。
２．訂正の目的、新規事項、特許請求の範囲の拡張・変更について
　上記訂正事項は、本件特許の請求項１（全請求項）を削除するものであるから、特許請求の範囲の減縮を目的とするものであって、新規事項の追加に該当せず、実質上特許請求の範囲を拡張し、又は変更するものではない。
３．むすび
　以上のとおりであるから、本件訂正請求に係る訂正事項は、特許法第１２０条の５第２項ただし書第１号に掲げる事項を目的とするものであり、かつ、同条第９項において準用する同法第１２６条第５項及び第６項の規定に適合するから、訂正請求書に添付された特許請求の範囲のとおり、訂正後の請求項１について訂正することを認める。
第３　特許異議の申立てについて
  上記のとおり、本件特許の請求項１（全請求項）は、訂正により削除されたため、特許異議申立人天笠勝がした特許異議の申立ては対象となる請求項が存在しないものとなった。
　したがって、本件特許異議の申立ては、特許法第１２０条の８第１項で準用する同法第１３５条の規定により却下すべきものである。
　よって、結論のとおり決定する。
【異議決定日】
令和１年６月２１日（２０１９．６．２１）
【訂正の要旨】
審決（決定）の【理由】欄参照。
（５７）【特許請求の範囲】
　【請求項１】
（削除）